(57)【要約】【課題】　支持板とカバーの分離・結合を容易に行うことにより，白熱電球を円滑に交換することの可能な照明器具を提供する。【解決手段】　支持板とカバーで構成された照明器具において，支持板は，装着先に固定される固定板と，弾性手段により固定板と一体になる結合板で形成され，カバーは，上部に等間隔で内側に突出した結合突部を備える結合部が設けられ，固定板は，中央が凹部となった略皿形状で，凹部の外縁側には，等間隔でナット孔が複数形成され，結合板は，中央が突出した凸部の中心側に貫通孔を形成して略ドーナツ形状となり，固定板に設けられたナット孔と一致する位置にスライド孔を形成し，かつ凸部の外縁部に段差丸型部が設けられ，この段差丸型部の一部に形成される挿入溝に連設する一側に傾斜部が形成され，他側には，段差丸型部の上側向に凸状の掛け片が形成されることを特徴とする。【選択図】　　図２
2004087494.tif 000002
【特許請求の範囲】
【請求項１】
　支持板とカバーで構成された照明器具において，
　前記支持板は，装着先に固定される固定板と，弾性手段により前記固定板と一体になる結合板で形成され，
　前記カバーは，上部に等間隔で内側に突出した結合突部を備える結合部が設けられ，
　前記固定板は，中央が凹部となった略皿形状で，前記凹部の外縁側には，等間隔でナット孔が複数形成され，
　前記結合板は，中央が突出した凸部となり，この凸部の中心側に貫通孔を形成することにより略ドーナツ形状となり，前記固定板に設けられた前記ナット孔と一致する位置にスライド孔を形成し，かつ前記凸部の外縁部に段差丸型部が設けられ，この段差丸型部の一部に挿入溝が形成され，
　前記段差丸型部は，前記挿入溝に連設する一側に傾斜部が形成され，他側には，前記段差丸型部の上側に向かい凸状に掛け片が形成され，
　前記弾性手段は，端部にねじ山を形成した結合ボルトとスプリングから形成されていることを特徴とする，照明器具。
【発明の詳細な説明】
【技術分野】
【０００１】
　本発明は，支持板とカバーで形成された照明器具に関し，特に電球内蔵型の照明器具に関する。
【背景技術】
【０００２】
　一般的に照明器具は，光が発散される電球が外部に露出され，光が周辺に直接的に照射される電球外装型と，電球の光が透過する半透明なガラス材またはアクリル材のカバーをかぶせて，カバーを通し，電球の光を周辺に照射する電球内蔵型がある。
【０００３】
　本発明では，電球内蔵型の照明器具に関するものであり，以下において，白熱灯を一例にとって説明する。
【０００４】
　電球内蔵型の照明器具において，白熱灯は，図１に示すように，天井や壁面に付着する金属材の支持板１と，この支持板１と脱着可能なガラス材のカバー２で形成される。このとき，上記の支持板１は，その外周面３が例えば雄ねじ等の螺旋部であり，上記のカバー２は，上部に支持板１の外周面３と一致する内径をそろえた結合部４が形成され，この結合部４の内側には，支持板１の外周面３に形成される螺旋部と結合できるように例えば雌ねじ等の螺旋部が設けられている。
【０００５】
　また支持板１には，電源供給のため，電気配線があり，支持板を固定させるためのアンカボルトが差し込まれる貫通孔５が中央に形成されていて，この貫通孔５を中心に等間隔に多数の固定孔６が形成されて，貫通孔５を中心に一側に長方形の長穴７が形成され，本図では，図示されていないが，支持板１の底面でソケットが付着されたブラケットを付着するようになっている。
【０００６】
　中央の貫通孔５を通じて，電源供給のための電気配線があり，等間隔に多数の固定孔６には，固定用ボルトが支持板１の底面から差し込まれることで結合され，支持板１は，天井に取り付けられ，天井に取り付けられた支持板１にカバー２が螺旋結合され一体となる。これにより白熱電球内蔵型の白熱灯が設置され，白熱電球に電源が供給されることにより白熱電球の光が周辺に照射される。
【発明の開示】
【発明が解決しようとする課題】
【０００７】
　しかし，上記のように金属材の支持板１とガラス材のカバー２で形成された白熱灯を天井に取り付けて使用する際に，支持板１に設置された白熱電球を交替する場合には，上記の支持板１とカバー２は螺旋結合されてあり，カバー２を逆回転させて外さなければならず，手間がかかった。
【０００８】
　また，支持板１の外周面３にカバー２を嵌合する時は，スムースに嵌合したとしても金属材で形成された支持板１は，季節変化や白熱電球で発散する熱により，自然的に腐食するので，長時間経過後にカバー２を支持板１から分離する際に，困難な点があった。
【０００９】
　特に，白熱灯は，一般家庭では浴室や洗濯乾燥台が設置されたベランダのような湿気が多い場所に設置されて，湿気と白熱電球で発散される熱により，金属材で形成された支持板１の腐食が深刻化し，カバー２を分離する時，天井や壁面に取り付けられた支持板１まで破損する問題点があった。
【００１０】
　そこで，本発明は，このような問題に鑑みてなされたもので，その目的とするところは，主に支持板とカバーで形成され，白熱電球内蔵型の照明器具を天井に設置するに当たって，支持板に弾性のある結合板を設置し，カバーの上部に突出型の結合部を形成することにより簡単に支持板とカバーの分離／結合することの可能な，新規かつ改良された照明器具を提供することである。
【課題を解決するための手段】
【００１１】
　上記課題を解決するために，本発明のある観点によれば，支持板とカバーで構成された照明器具において，支持板は，天井や壁等の装着先に固定される固定板と，弾性手段により固定板と一体になる結合板で形成され，カバーは，上部に等間隔で内側に突出した結合突部を備える結合部が設けられ，固定板は，中央が凹部となった略皿形状で，凹部の外縁側には，等間隔でナット孔が複数形成され，結合板は，中央が突出した凸部となり，この凸部の中心側に貫通孔を形成することにより略ドーナツ形状となり，固定板に設けられたナット孔と一致する位置にスライド孔を形成し，かつ凸部の外縁部に段差丸型部が設けられ，この段差丸型部の一部に挿入溝が形成され，段差丸型部は，挿入溝に連設する一側に傾斜部が形成され，他側には，段差丸型部の上側に向かい凸状に掛け片が形成され，弾性手段は，端部にねじ山を形成した結合ボルトとスプリングから形成されていることを特徴とする，照明器具が提供される。
【００１２】
　このような構成とすることにより，本発明の照明器具は，スプリングが弾指された結合ボルトの端部が結合板のスライド穴を通し，固定板のナット穴に結合して，結合板と固定板は，一体となって，結合板の挿入溝にカバーの結合突部が差し込まれながら，一側の傾斜部に合わせて回転させると結合板のスプリングが圧縮される。このスプリングの圧縮により，カバーが回転し，支持板とカバーは，一体となり，かつカバーがスプリングの弾性により，結合板と固定板の間で安定した状態になるので，支持板とカバーの分離・結合がより容易かつ円滑に行えるようになる。
【発明の効果】
【００１３】
　以上説明したように本発明によれば，支持板とカバーの分離・結合が円滑に行うことが可能であり，特に支持板とカバーで形成された照明器具を長時間使用し，支持板が腐食しても弾性手段であるスプリングにより支持板からカバーが容易に外せるので，白熱電球交換のような修理作業を円滑にできる効果がある。
【発明を実施するための最良の形態】
【００１４】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１５】
　まず，本発明の第１の実施の形態による照明器具の構成を以下で図面を使用することによって説明する。図２は，本発明の第１の実施の形態による照明器具の分解斜視図で，図３は，本発明の第１の実施の形態による照明器具のカバーを底面からみた斜視図であり，図４は，照明器具の結合状態縦断面図であり，（a）は，照明器具のカバーが結合板の挿入溝に挟まれて，回転する前の状態の縦断面図であり，（b）は，照明器具のカバーが結合板の挿入溝に挟まれて，傾斜部に沿って回転された状態の縦断面図である。
【００１６】
　図２に示すように，本実施の形態における照明器具は，天井や壁面に設置される支持板１００とカバー２００から構成される。このとき，支持板１００は，天井に固定する固定板１０と弾性手段３０により固定板１０と一体になる結合板２０で形成される。また，カバー２００は，上部には，内側に等間隔に突出した半円形の結合突部４０をそろえた結合部４２が形成され，下部には，図３に示すように，略六角錐形状の溝部４４が形成される。
【００１７】
　また，支持板１００に備わる固定板１０は，中央部が陥没して凹部となった略円盤型で，等間隔に内面にねじ山をそろえたナット穴１２が形成される。また，支持板１００に備わる結合板２０は，中央部を突出させて形成された凸部の中央に貫通内径２２を有する略ドーナツ形状の円盤型であり，固定板１０のナット穴１２と一致する位置にスライド穴２４が設けられる。また，結合板２０の外縁部には，段差丸型部２８が設けられ，この段差丸型部２８の一部に切り欠きを設けることにより挿入溝２６が形成される。本実施の形態では，挿入溝２６は，結合板２０の外周に略等間隔で３つ設けられている。また，段差丸型部２８は，挿入溝２６に連設する一側に傾斜部２９が形成され，他側には，段差丸型部２８の上側に向かい凸状に掛け片４６が形成されている。さらに，弾性手段３０は，端部にだけ螺旋部３２になっており，結合ボルト３４とスプリング３６で形成されている。
【００１８】
　上記の固定板１０の中央には，電気配線等が通る貫通孔５０が形成され，この貫通孔５０より外側には，固定板１０を天井に付着させる固定ボルトが挟まれる長穴形状の天井付着穴５２，及び固定板１０の底面に設置される白熱電球６０（図４参照）が設けられる白熱電球ソケットが付着されるソケット付着穴５６が設けられる。以上，上記の説明，及び図２，図３に示されたように，中央部が凹部になっている略皿型形状の固定板１０と，中央部が突出しながら，貫通内径２２が形成されて，略ドーナツ形状の円盤型になっている結合板２０と，上記固定板１０と結合板２０が弾性手段３０により一体になっている支持板１００が形成される。
【００１９】
　上記支持板１００と結合するカバー２００は，上部には，内側に等間隔で突出した結合突部４０をそろえた結合部４２が形成されて，下部には，六角錐形状の溝部４４が形成されている。
【００２０】
　次に，本実施の形態の照明器具の設置状態での作用について，図面を使用して以下で説明する。図４は，本発明の第１の実施の形態における照明器具の結合状態での縦断面図であり，（a）は，同実施の形態における照明器具のカバー２００が結合板２０に挟まれて，回転する前状態の縦断面図であり，（b）は，同実施の形態における照明器具のカバー２００が結合板２０に挟まれて，傾斜部２９に沿って回転した状態の縦断面図である。
【００２１】
　上記のように構成された照明器具は，図４（a）および（b）に示すように，固定板１０のナット穴１２に弾性手段３０の結合ボルト３４が螺旋結合されて一体になっており，この結合ボルト３４がスプリング３６を弾指した状態で結合板２０のスライド穴２４を通じて一体になることにより，結合板２０は，固定板１０と結合される。
【００２２】
　このとき，結合板２０は，弾性手段３０の結合ボルト３４に弾指されたスプリング３６の弾性により，固定板１０の底面に密着した状態になって，固定板１０の溝部になる中央部と結合板２０の突出した中央部が接するため，固定板１０の外周面と結合板２０の段差丸型部２８の間には一定の空間部５８が形成される。
【００２３】
　上記固定板１０と結合板２０が弾性手段３０により一体となって形成された空間部５８には，カバー２００の結合突部４０が位置される。より具体的に説明すると，カバー２００の上部に形成された結合部４２の内面には，等間隔に断面状の半円形の結合突部４０が内側に突出しており，等間隔に設けられたこれら結合突部４０は，結合板２０の段差丸型部２８に形成された等間隔の挿入溝２６と相応する位置に形成されている。
【００２４】
　従って，上記カバー２００の結合突部４０を固定板１０と一体になる結合板２０の挿入溝２６に組み入れて，この挿入溝２６の一側に形成された傾斜部２９側へ回転させることにより，結合突部４０は，傾斜部２９に沿って回転しながら，段差丸型部２８にのせられるようになり，結果的に固定板１０から結合板２０が離隔される。
【００２５】
　このとき，弾性手段３０となるスプリング３６は，結合板２０が固定板１０から離隔されるだけ圧縮されるが，これは，スプリング３６が結合ボルト３４と結合板２０の間に弾指されていて，これら結合ボルト３４は，端部に，ねじ部３２が形成されて，天井に固定された固定板１０のナット穴１２に結びついているので，結合板２０は，スライド孔２４を通じて結合ボルト３４に沿って移動する。
【００２６】
　すなわち，上記のカバー２００の結合突部４０は，略皿形状の固定板１０と中央部が突出した略ドーナツ型の結合板２０により形成された環型の空間部５８に位置するようになるが，このとき，結合突部４０の縦断面積が結合板２０の挿入溝２６の一側に形成された傾斜部２９が含まれた空間部５８の縦断面積と一致するため，上記の結合突部４０を傾斜部２９側で回転させれば，回転する結合突部４０が段差丸型部２８に到着することで結合板２０は，スプリング３６を圧縮下降されて，結果的にカバー２００は，支持板１００と一体になる。
【００２７】
　また，上記の段差丸型部２８に沿って回転するカバー２００の結合突部４０は，段差丸型部２８に形成された掛け片４６により回転範囲が限定されるので，一定距離（角度）だけ回転する。
【００２８】
　上記の通りに，支持版１００とカバーが結合した状態で長時間使用した場合，固定板１０と結合板２０が酸化作用により腐食されても，弾性手段３０のスプリング３６が有する弾性力によりカバー２００を取り外す際，円滑にカバー２００を回転できる。
【００２９】
　以上のように本発明は，図２から図４の（a）と（b）に示された通り，固定板１０と結合板２０を弾性手段３０により一体にし，支持板１００を形成して，上記支持板１００と結合するカバー２００の上部内側に等間隔で突出した結合突部４０が揃えられた結合部４２を形成することで，分離・結合が円滑となる。特に，支持板１００とカバー２００で形成された照明器具を長時間使用し，支持板１００が腐食しても弾性手段３０のスプリング３６により白熱電球６０の交換のような修理作業を円滑にできる効果がある。
【００３０】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００３１】
　例えば，第１の実施の形態において，結合板２０の挿入溝２６とカバー２００の結合突部４０形状は，それぞれ略四角形と略半円形で形成されているが，上記挿入溝２６と結合突部４０の形状が他の多角形の形状にしてもその作用と効果は同一であるため，本実施の形態での挿入溝２６と結合突部４０の形状は，一例となる。また，挿入溝２６の数は，同実施の形態では，３つであるが，挿入溝２６の数は，この数に限定されない。
【００３２】
　さらに，本発明の第１の実施の形態における照明器具の作用説明として白熱電球一つが設置された一口型の白熱灯の例を説明したが，支持板１００とカバー２００の大きさにより２口型，３口型などの多口型白熱灯と蛍光灯にも適用して使用することもできる。
【産業上の利用可能性】
【００３３】
　本発明は，照明器具に適用可能であり，特に支持板とカバーで形成された照明器具を天井に設置時に，支持板に弾性手段をそろえた結合板を設置して，カバーを一定角度回転させることにより簡単に設置できる照明器具に適用可能である。
【図面の簡単な説明】
【００３４】
【図１】図１は，従来照明器具中白熱灯の一例を示した分解斜視図である。
【図２】図２は，本発明の第１の実施形態による照明器具の分解斜視図である。
【図３】図３は，同実施の形態における照明器具のカバーを底面でみた斜視図である。
【図４】図４は，同実施の形態における照明器具の結合状態縦断面図であり，（a）は，同実施の形態における照明器具のカバーが結合板に挟まれて，回転する前状態の縦断面図であり，（b）は，同実施の形態における照明器具のカバーが結合板に挟まれて，傾斜部について回転した状態の縦断面図である。
【符号の説明】
【００３５】
　１００　　　支持板
　２００　　　カバー
　１０　　　　固定板
　１２　　　　ナット穴
　２０　　　　結合板
　２２　　　　貫通内径
　２４　　　　スライド
　２６　　　　挿入溝
　２８　　　　段差丸型部
　２９　　　　傾斜部
　３０　　　　弾性手段
　３２　　　　螺旋部
　３４　　　　結合ボルト
　３６　　　　スプリング
　４０　　　　結合突部
　４２　　　　結合部
　４４　　　　溝部
　４６　　　　掛け片
　５０　　　　貫通孔
　５２　　　　天井付着穴
　５６　　　　ソケット付着穴
【図１】
2004087494.tif 000003
【図２】
2004087494.tif 000004
【図３】
2004087494.tif 000005
【図４】
2004087494.tif 000006